(57)【特許請求の範囲】
【請求項１】
ディスク状記録媒体に対し記録又は再生を行なうピックアップが搭載されたスライド部材と、
上記スライド部材に挿通され、上記スライド部材を上記ディスク状記録媒体の径方向に移動するようにガイドするガイド軸と、
上記スライド部材が摺接し、上記ガイド軸と共に上記スライド部材を上記ディスク状記録媒体の径方向に移動するようにガイドするサブガイド軸と、
上記ガイド軸と平行に設けられモータによって回転駆動される送りネジ軸と、上記スライド部材から上記送りネジ軸に押し当てられるように噛み合うナット部材とを有する、上記スライド部材を上記ガイド軸及び上記サブガイド軸に沿って移動させる送り機構と、
上記ナット部材の上記送りネジ軸からの押し戻しによって、上記スライド部材を上記ガイド軸を支点として回転して上記サブガイド軸に押し当てられる部分と対向する側から上記サブガイド軸に圧接させる弾性押圧部材と、を備えたこと
を特徴とするディスクドライブ装置。
【請求項２】
上記弾性押圧部材は板バネであることを特徴とする請求項１に記載のディスクドライブ装置。
【請求項３】
上記板バネの上記サブガイド軸に対する圧接部が円弧状に屈曲形成されていることを特徴とする請求項２に記載のディスクドライブ装置。
【請求項４】
上記板バネはネジによる締め付けで上記スライド部材に固定されることを特徴とする請求項２に記載のディスクドライブ装置。
【請求項５】
上記スライド部材が上記サブガイド軸に押し付けられる部分において、上記板バネの一部を上記スライド部材と上記サブガイド軸との間に介在させたことを特徴とする請求項２に記載のディスクドライブ装置。
【発明の詳細な説明】
【０００１】
【発明の属する技術分野】
本発明は、光ディスクや光磁気ディスク、磁気ディスク等のディスク状記録媒体を回転駆動すると共に、このディスク状記録媒体の情報記録面に沿ってピックアップ装置を移動させて情報信号の記録（書込み）及び／又は再生（読取り）を行うディスクドライブ装置に関するものである。
【０００２】
【従来の技術】
従来、一般に、ＣＤ（コンパクトディスク）やＣＤ−ＲＯＭ（リードオンリメモリ）等の光ディスク、ＭＤ（ミニディスク）等の光磁気ディスク、或いはＦＤ（フロッピィディスク）等の磁気ディスクその他のディスク状記録媒体を用いて情報信号の記録及び／又は再生を行う装置として、ディスクドライブ装置が提供されている。このようなディスクドライブ装置としては、例えば、図２８〜図３３に示すような構成のものがある。
【０００３】
このディスクドライブ装置は、スピンドルモータの回転軸に取り付けられたターンテーブル上に光学ディスクを水平に装着して回転駆動すると共に、光学ピックアップによってレーザ光を光学ディスクの情報記録面に照射するようにしている。そして、光学ピックアップを光学ディスクの中心から半径方向外側に向かって移動させ、この光学ピックアップにより情報記録面に情報信号を書き込んだり、予め情報記録面に記録されている情報信号を読み出すことにより、情報の記録及び／又は再生を行うようにしている。
【０００４】
このディスクドライブ装置１は、図２８及び図２９に示すように、ベースユニットシャーシ２とスピンドルモータ３とターンテーブル４と光学ピックアップ装置５と送りネジ軸６と送りモータ７等を備えて構成されている。
スピンドルモータ３はベースユニットシャーシ２の下面側に取り付けられており、このスピンドルモータ３の回転軸３ａがベースユニットシャーシ２の上面側に突出し、これにターンテーブル４が固定されている。このターンテーブル４にはディスク状記録媒体である光学ディスク８が装着される。
【０００５】
また、ベースユニットシャーシ２にはガイド軸９が取り付けられ、さらにこのガイド軸９と平行にサブガイド軸１０が設けられており、このガイド軸９及びサブガイド軸１０に光学ピックアップ装置５のスライド部材１１が光学ディスク８の半径方向に移動可能に支持されている。
光学ピックアップ装置５はガイド軸９及びサブガイド軸１０に支持されるスライド部材１１上に光学ピックアップ１２を搭載して構成されるもので、この光学ピックアップ１２の光学ヘッド部１３の対物レンズ１３ａから光学ディスク８の情報記録面に記録又は再生を行なうためのレーザ光が照射される。
【０００６】
送りネジ軸６は送りモータ７によって回転駆動されるもので、ガイド軸９に隣接してこのガイド軸９と平行にベースユニットシャーシ２に取り付けられている。そしてこの送りネジ軸６のネジ部には光学ピックアップ装置のスライド部材１１に取り付けられたナット部材１４が噛み合わされており、送りモータ７によって送りネジ軸６が回転されるとナット部材１４が送りネジ軸６の軸方向に移動し、これと一体に光学ピックアップ装置５がガイド軸９及びサブガイド軸１０に沿って光学ディスク８の半径方向に移動されるようになっている。
【０００７】
このように構成される従来のディスクドライブ装置において、光学ピックアップ装置５の支持構造について注目すると、図２９及び図３１に示すように光学ピックアップ装置５のスライド部材１１は一端側に設けられた軸受部１５においてガイド軸９に移動可能に支持されていると共に、他端側に設けられた軸受部１６においてサブガイド軸１０に移動可能に支持されている。
【０００８】
この場合、図３１に示すように一端側の軸受部１５にはスリーブ１５ａが嵌合されていて、このスリーブ１５ａにガイド軸９が摺動自在に挿通されている。一方、他端側の軸受部１６には、サブガイド軸１０を上下から挟むような凹溝１６ａが形成されており、この凹溝１６ａがサブガイド軸１０に係合する状態で摺接されている。
【０００９】
【発明が解決しようとする課題】
このような構造を有する従来のディスクドライブ装置では、次のような課題がある。
即ち従来は、光学ピックアップ装置５のスライド部材１１がベースユニットシャーシ２１のサブガイド軸１０に支持されている部分において、図３２及び図３３に示す如くスライド部材１１の軸受部１６の凹溝１６ａとサブガイド軸１０との間には上下方向に隙間があり、このためディスクドライブ装置に振動や衝撃が加わったときにはこの隙間分だけ光学ピックアップがガタついて光学ディスクへのレーザ光の照射が不安定になり、情報信号の記録又は再生の性能を著しく低下させる問題があった。
【００１０】
本発明は、このような従来の課題に鑑みてなされたものであり、振動や衝撃が加わったときでもピックアップがガタつくことのないディスクドライブ装置を提供し、従来の課題を解決することを目的としている。
【００１１】
【課題を解決するための手段】
上述したような課題を解決し、上記目的を達成するために、本出願の請求項１に記載のディスクドライブ装置は、ディスク状記録媒体に対し記録又は再生を行なうピックアップが搭載されたスライド部材と、
上記スライド部材に挿通され、上記スライド部材を上記ディスク状記録媒体の径方向に移動するようにガイドするガイド軸と、
上記スライド部材が摺接し、上記ガイド軸と共に上記スライド部材を上記ディスク状記録媒体の径方向に移動するようにガイドするサブガイド軸と、
上記ガイド軸と平行に設けられモータによって回転駆動される送りネジ軸と、上記スライド部材から上記送りネジ軸に押し当てられるように噛み合うナット部材とを有する、上記スライド部材を上記ガイド軸及び上記サブガイド軸に沿って移動させる送り機構と、
上記ナット部材の上記送りネジ軸からの押し戻しによって、上記スライド部材を上記ガイド軸を支点として回転して上記サブガイド軸に押し当てられる部分と対向する側から上記サブガイド軸に圧接させる弾性押圧部材と、を備えたものある。
【００１２】
また本出願の請求項２に記載のディスクドライブ装置では、
上記送り機構は、
ガイド軸と平行に設けられ、モータによって回転駆動される送りネジ軸と、
スライド部材から送りネジ軸に押し当てられるように噛み合うナット部材と、
によって構成されるディスクドライブ装置において、
ナット部材の送りネジ軸からの押し戻しによってスライド部材がガイド軸を支点として回転してサブガイド軸に押し当てられる部分と対向する側からサブガイド軸に圧接するように弾性押圧部材を配置した構造としたものである。
【００１３】
さらに本出願の請求項３に記載のディスクドライブ装置は、
弾性押圧部材として板バネを用いるようにしたものである。
【００１４】
さらに本出願の請求項４に記載のディスクドライブ装置は、
弾性押圧部材である板バネのサブガイド軸に対する圧接部が円弧状に屈曲形成されている形状としたものである。
【００１５】
さらに本出願の請求項５に記載のディスクドライブ装置では、
弾性押圧部材である板バネはネジによる締め付けでスライド部材に固定されるようにしたものである。
【００１６】
さらに本出願の請求項６に記載のディスクドライブ装置は、
スライド部材がサブガイド軸に押し付けられる部分において、板バネの一部をスライド部材とサブガイド軸との間に介在させるようにしたものである。
【００１７】
上述のように構成される本出願の請求項１に記載のディスクドライブ装置では、弾性押圧部材によってスライド部材がサブガイド軸に押し付けられていることにより、ピックアップは振動や衝撃が加わってもガタつくことなく安定して移動動作されるので、情報信号の記録又は再生の性能が低下することはない。
【００１８】
また本出願の請求項２に記載のディスクドライブ装置では、振動や衝撃が加わったときにナット部材の送りネジ軸からの押し戻しによってスライド部材がガイド軸を支点として回転してサブガイド軸に押し当てられる状態となっても、このスライド部材がサブガイド軸に押し当てられる部分と対向する側からサブガイド軸に圧接するように弾性押圧部材が配置されていることにより、弾性押圧部材は押し戻される状態となることなく常に安定してスライド部材をサブガイド軸に押し付けるように作用するので、ピックアップのガタつきが一段と確実に防止される。
【００１９】
さらに本出願の請求項３に記載のディスクドライブ装置では、弾性押圧部材として板バネを用いることにより、低コストで実施が可能となる。
【００２０】
さらに本出願の請求項４に記載のディスクドライブ装置では、弾性押圧部材である板バネのサブガイド軸に対する圧接部を円弧状に屈曲形成したことにより、ピックアップの移動動作時に板バネはサブガイド軸に対しスムーズに摺動されるので、より安定したピックアップの移動動作が行なわれる。
【００２１】
さらに本出願の請求項５に記載のディスクドライブ装置では、弾性押圧部材である板バネはネジによる締め付けでスライド部材に固定されるものとしたため、板バネを簡単に取り付けることができるので、低コストでの実施に一段と有利となる。
【００２２】
さらに本出願の請求項６に記載のディスクドライブ装置では、スライド部材がサブガイド軸に押し付けられる部分において、板バネの一部をスライド部材とサブガイド軸との間に介在させた構造としたことにより、スライド部材の摩耗を効果的に抑えることができるので、ピックアップに傾きが生じることはなく、一段と安定した記録又は再生が可能となる。
【００２３】
【発明の実施の形態】
以下、本発明の実施の形態を添付図面を参照して説明する。
図１〜図１０は、本発明のディスクドライブ装置の第１の実施例を示すものである。即ち、図１はディスクドライブ装置の第１の実施例を上面側から見た斜視図、図２は同じく平面図、図３は底面図、図４は図３からベースユニットサブシャーシを取り除いた要部を示す説明図、図５は図２のＸ−Ｘ線断面図、図６は要部を切り欠いて示す背面図、図７は左側面図、図８は図２のＹ−Ｙ線断面図、図９は図６の要部の拡大図、図１０は図８の要部の拡大図である。
【００２４】
本発明の実施例として示すディスクドライブ装置２０は、ディスク状記録媒体として、オーディオ情報等の音楽信号やビデオ情報等の映像信号及び音楽信号等の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスクを用いることができる。しかしながら、ディスク状記録媒体としては、これに限定されるものではなく、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み又は読み出すようにした光磁気ディスクその他の記憶媒体を適用することができることは勿論である。
【００２５】
このディスクドライブ装置２０は、図１〜図４に示すように、ベースユニットシャーシ２１とベースユニットサブシャーシ２２とスピンドルモータ２３とターンテーブル２４と光学ピックアップ装置２５と送りネジ軸２６と送りモータ２７等を備えて構成されている。
ベースユニットシャーシ２１は例えばＡＢＳ等のエンジニアリングプラスチックにより成形されるもので、平板状の平面部２１ａと、この平面部２１ａの周囲を囲うように外周縁に沿って下面側に突出させて設けた正面壁部２１ｂ、背面壁部２１ｃ及び左右の側面壁部２１ｄ，２１ｅとを有し、全体として底の浅い蓋体のような形状に形成されている。
【００２６】
ベースユニットシャーシ２１の下面側には図３に示す如くモータベース板３１が取り付けネジ３２によって固定されており、このモータベース板３１上にスピンドルモータ２３が構成されている。そして図１及び図２に示すようにこのスピンドルモータの回転軸２３ａがベースユニットシャーシ２１の上面側に突出し、この回転軸２３ａにターンテーブル２４が固定されている。このターンテーブル２４にはディスク状記録媒体である光学ディスク３３が装着される。
【００２７】
このターンテーブル２４は、光学ディスク３３のセンタ孔に嵌合される嵌合部２４ａと、この嵌合部２４ａの下端に連続されると共に光学ディスク３３が載置される載置部２４ｂと、この載置部２４ｂに載置された光学ディスク３３のセンタ孔を係止して抜け出しを防止する複数個のロック爪２４ｃ等を有している。ターンテーブル２４の嵌合部２４ａの直径は、光学ディスク３３のセンタ孔の内径よりも若干小径とされていて、センタ孔に対して出し入れ可能とされている。
【００２８】
ターンテーブル２４の嵌合部２４ａのロック爪２４ｃは本例では３個設けられており、この３個のロック爪２４ｃが周方向に等角度間隔に配置されている。各ロック爪２４ｃは、コイルバネ等の弾性体（その他、板バネ、ゴム状弾性体等を適用することができる）によって常時半径方向外側に付勢されている。即ち、３個のロック爪２４ｃの先端部は、光学ディスク３３のセンタ孔の周縁部を係止できるように嵌合部２４ａの外周面からそれぞれ外側へ適宜量だけ突出されており、これらのロック爪２４ｃによって光学ディスク３３がチャッキングされる。一方、３個のロック爪２４ｃを、それぞれ弾性体の付勢力に抗して嵌合部２４ａ内に押し込むことにより、ロック爪２４ｃによる光学ディスク３３のチャッキングを解除することができる。
【００２９】
このような光学ディスク３３のチャッキング及びその解除動作を容易にするため、各ロック爪２４ｃの先端部の上面及び下面には、それぞれ適当な大きさの傾斜部が設けられている。このターンテーブル２４によれば、３個のロック爪２４ｃの働きによって光学ディスク３３がチャッキングされ、その状態で一体的に回転駆動される。その一方、例えば、光学ディスク３３を斜めに傾けて引き起こし、その力でロック爪２４ｃを後退させてセンタ孔から脱出させることにより、チャッキング状態を解除して光学ディスク３３を簡単に取り外すことができる。
【００３０】
このターンテーブル２４の載置部２４ｂには、摩擦抵抗の大きなゴム状弾性体やプラスチック等で形成されたディスク支持面２４ｄが設けられている。このディスク支持面２４ｄは、３個のロック爪２４ｃの働きによる押圧力を受けてセンタ孔の周縁部を弾性的に支持すると共に滑りを防止し、光学ディスク３３をターンテーブル２４と一体的に回転させる働きをなす。
【００３１】
またベースユニットシャーシ２１には図３及び図４に示すようにガイド軸３４が取り付けられ、さらにこのガイド軸３４と平行にサブガイド軸３６が設けられており、このガイド軸３４及びサブガイド軸３６に光学ピックアップ装置２５が光学ディスク３３の半径方向に移動可能に支持されている。
【００３２】
ガイド軸３４は周面が平滑とされた丸棒状の部材であり、その両端部がベースユニットシャーシ２１に設けられた凹状の軸受部３５ａ，３５ｂに係合した状態で支持されている。尚このガイド軸３４の材質としては例えばステンレス鋼が好適に用いられる。
一方サブガイド軸３６はベースユニットシャーシ２１と一体に形成された丸棒状の軸部であり、即ちこのサブガイド軸３６は連結部３７を介してベースユニットシャーシ２１の背面壁部２１ｃの内面側に連続して形成されている。
【００３３】
光学ピックアップ装置２５は、ガイド軸３４及びサブガイド軸３６に支持されて移動されるスライド部材３８上に光学ピックアップ３９を搭載して構成されるもので、この光学ピックアップ３９の光学ヘッド部４０がベースユニットシャーシ２１の平面部２１ａに形成された開口部４１から上面側に表出し、この光学ヘッド部４０の対物レンズ４０ａから光学ディスク３３の情報記録面に記録又は再生を行なうためのレーザ光が照射される。
【００３４】
スライド部材３８は例えばアルミニウム合金によりブロック状に形成されてなるもので、一端側に設けられた軸受部４２においてガイド軸３４に移動可能に支持されていると共に、他端側に設けられた軸受部４３においてサブガイド軸３６に移動可能に支持されている。
【００３５】
この場合、図８に示すように一端側の軸受部４２にはスリーブ４２ａが嵌合されていて、このスリーブ４２ａにガイド軸３４が摺動自在に挿通されている。
一方、他端側の軸受部４３には、ベースユニットシャーシ２１の背面壁部２１ｃに向かって開口し、サブガイド軸３６を上下から挟むような凹溝４３ａが形成されており、この凹溝４３ａがサブガイド軸３６に係合する状態で摺接されている。
【００３６】
この軸受部４３付近においてスライド部材３８には、弾性押圧部材としての板バネ４４が取り付けネジ４５によって装着されている。この板バネ４４はサブガイド軸３６に圧接し、スライド部材３８をサブガイド軸３６に押し付ける働きを有するもので、これによってスライド部材３８の軸受部４３とサブガイド軸３６との間の隙間によるガタつきを防止して光学ピックアップ装置２５を安定して移動動作させるようにしている。
【００３７】
この板バネ４４についてさらに詳しく説明すると、図９及び図１０に示すように、この板バネ４４はスライド部材３８に固定される基部４４ａと、この基部４４ａから延びてサブガイド軸３６に摺接される押圧片部４４ｂと、を一体に有して形成されている。
基部４４ａは図９及び図１０に示す如くスライド部材３８を取り囲むような環帯状に形成されており、この環帯状の基部４４ａの端部４４ａ1 と４４ａ2 に取り付けネジ４５を通してこれを締め付けることにより板バネ４４をスライド部材３８に固定するようにしている。
【００３８】
そしてこの基部４４ａの下側から一体に押圧片部４４ｂが屈曲状に延びてその先端部４４ｂ1 がサブガイド軸３６の下側に圧接するように摺接されており、この押圧片部４４ｂの弾性押圧力によってスライド部材３８は、軸受部４３の凹溝４３ａの上面側がサブガイド軸３６に押し付けられる状態となってガタつきが防止される構造となっている。
【００３９】
尚、この板バネ４４のサブガイド軸３６に対する圧接部、即ち押圧片部４４ｂの先端部４４ｂ1 は、図９に示すように円弧状に屈曲させて形成してあり、このため光学ピックアップ装置２５の移動動作時に板バネ４４はサブガイド軸３６に対してスムーズに摺動されるようになっている。
【００４０】
続いて、光学ピックアップ装置２５をガイド軸３４及びサブガイド軸３６に沿って移動させるピックアップ送り機構について説明する。
このピックアップ送り機構は、図４に示すようにガイド軸３４に隣接してこのガイド軸３４と平行にベースユニットシャーシ２１に取り付けられる送りネジ軸２６と、この送りネジ軸２６を回転駆動する送りモータ２７とを主要部品として構成されている。
【００４１】
送りネジ軸２６は、その両端の軸部２６ａ，２６ｂにおいてベースユニットシャーシ２１に設けられた軸受部４７ａ，４７ｂに回転自在に支持されている。この場合、送りネジ軸２６の一端側の軸部２６ａは軸受部４７ａを通して回転自在に支持され、他端側の軸部２６ｂはベースユニットシャーシ２１の壁に突き当てられる状態で軸受部４７ｂに回転自在に支持されている。尚この送りネジ軸２６の材質としては例えばステンレス鋼が好適に用いられる。
【００４２】
またこの送りネジ軸２６の一端側には、後述する出力ギアと噛み合う駆動ギア４９が固定されている。この駆動ギア４９に対応してベースユニットシャーシ２１の正面壁部２１ｂには、この駆動ギヤ４９との干渉を避けるための開口５０が形成されている。
【００４３】
そして送りネジ軸２６のネジ部には、光学ピックアップ装置２５のスライド部材３８に取り付けられたナット部材５１が噛み合わされている。このナット部材５１は固定ネジ５２によってスライド部材３８に取り付けられた板バネ材によりなる支持体５３から延びる弾性片５３ａの先端部に固定されているもので、弾性片５３ａの弾性によって送りネジ軸２６に押し当てられるように噛み合わされている。
【００４４】
送りネジ軸２６を回転駆動する送りモータ２７は、図５に示すように送りネジ軸２６の上方に配置されてベースユニットシャーシ２１に取り付けられている。この送りモータ２７の回転軸２７ａには出力ギア５４が固定され、この出力ギア５４に送りネジ軸２６の駆動ギア４９が噛み合わされており、これによって送りモータ２７の回転軸２７ａの回転が出力ギア５４と駆動ギア４９を介して送りネジ軸２６に伝達されて送りネジ軸２６が回転駆動される構造となっている。
【００４５】
そしてこのように送りモータ２７によって送りネジ軸２６が回転されると、ナット部材５１が送りネジ軸２６の軸方向に移動し、これと一体に光学ピックアップ装置２５がガイド軸３４及びサブガイド軸３６に沿って光学ディスク３３の半径方向に移動される。
【００４６】
また、送りモータ２７の回転軸２７ａには回転板５５が固定されている。この回転板５５には放射状に多数のスリットが周方向に等角度間隔で形成されており、この回転板５５に対応してベースユニットシャーシ２１には回転検出センサ５６が取り付けられている。
【００４７】
この回転検出センサ５６は、回転板５５の一部が挿入される切り欠き溝を有し、この回転検出センサ５６の切り欠き溝の両側には発光素子と受光素子が対向して内蔵されている。そして発光素子から発射された光を回転板５５のスリットを介して受光素子により受光し、スリット間の遮光部で遮光される回数を測定することにより、送りモータ２７の回転軸２７ａの回転角度及び回転数を検出するものである。
【００４８】
このように構成されるピックアップ送り機構は、ベースユニットシャーシ２１に取り付けられるベースユニットサブシャーシ２２によって覆われている。このベースユニットサブシャーシ２２はベースユニットシャーシ２１の一部としてベースユニットシャーシ２１の本体に固定ネジ５７によって取り付けられるもので、ピックアップ送り機構を覆う下面部２２ａと、この下面部２２ａの正面側及び側面側に連続して形成された正面壁部２２ｂ及び側面壁部２２ｃとを有し、これをベースユニットシャーシ２１に取り付けることによってピックアップ送り機構部に埃等が侵入することを防ぐようにしている。尚このベースユニットサブシャーシ２２は、ベースユニットシャーシ２１と同じ材料で成形されている。
【００４９】
またこのベースユニットサブシャーシ２２は、ベースユニットシャーシ２１に取り付けられるガイド軸３４及び送りネジ軸２６を押さえる働きをも有し、即ち組み立て時に図４に示すようにガイド軸３４及び送りネジ軸２６を夫々ベースユニットシャーシ２１の軸受部３５ａ，３５ｂ及び４７ａ，４７ｂに支持させた状態で、ベースユニットサブシャーシ２２をベースユニットシャーシ２１に取り付けることにより、ガイド軸３４及び送りネジ軸２６は夫々軸受部３５ａ，３５ｂ及び４７ａ，４７ｂから脱落しないようにベースユニットサブシャーシ２２で押さえられる構造となっている。さらにこのベースユニットサブシャーシ２２の下面部２２ａには、送りネジ軸２６の駆動ギヤ４９との干渉を避けるための開口５８が形成されている。
【００５０】
そしてこのベースユニットサブシャーシ２２には、図３及び図５に示すように、送りネジ軸２６の一方側の軸部２６ａの先端を押圧して送りネジ軸２６を軸方向に固定するための押圧片部６０が一体に設けられている。
この押圧片部６０はベースユニットサブシャーシ２２の側面壁部２２ｃの一部を利用して形成される弾性可撓片であり、ベースユニットサブシャーシ２２をベースユニットシャーシ２１に取り付けた状態ではこの押圧片部６０が送りネジ軸２６の一方側の軸部２６ａの先端で押されて外側に撓み、その弾性押し戻し力によって送りネジ軸２６の一方側の軸部２６ａの先端が軸方向に押圧され、このため送りネジ軸２６は他方側の軸部２６ｂがベースユニットシャーシ２１の壁部に押し当てられる状態となる。
【００５１】
これによって送りネジ軸２６の軸方向の固定が行なわれる構造となっており、即ち送りネジ軸２６は軸方向にガタつくことなくしっかりと取り付けられるので、光学ピックアップ装置２５の正確な送り動作が可能となる。
【００５２】
以上の如き構成を有する本例のディスクドライブ装置２０では、次のようにして光学ディスク３３の記録または再生動作が行なわれる。
先ず、ターンテーブル２４に光学ディスク３３を装着する。この作業は、次のようにして行なうことができる。例えば光学ディスク３３の外周縁の複数箇所を把持し、そのセンタ孔をターンテーブル２４の嵌合部２４ａに合わせる。そして、光学ディスク３３を軽く押圧して３個のロック爪２４ｃを後退させ、センタ孔を通過させる。これにより、センタ孔を通過した３個のロック爪２４ｃがセンタ孔の縁の３箇所に乗り上げることにより光学ディスク３３のチャッキングが行なわれる。
【００５３】
次にスピンドルモータ２３を駆動することにより、ターンテーブル２４と一体に光学ディスク３３を回転させる。これと同時にピックアップ送り機構の送りモータ２７が駆動し、送りネジ軸２６が回転される。このように送りネジ軸２６が回転されると、ナット部材５１が送りネジ軸２６の軸方向に移動し、これと一体に光学ピックアップ装置２５がガイド軸３４及びサブガイド軸３６に沿って光学ディスク３３の半径方向に移動される。
【００５４】
この場合、光学ピックアップ装置２５は初期状態では光学ディスク３３の半径方向の最も内側に位置し、そこから半径方向の外側に向かって移動される如く動作する。このとき、光学ピックアップ３９の光学ヘッド部４０の対物レンズ４０ａから光学ディスク３３の情報記録面にレーザ光が照射される。
その結果、再生時には、情報記録面に照射されたレーザ光によって予め記録されている情報信号が読み出され、その情報信号に基づいて再生動作が行なわれる。また、記録時には、情報記録面に照射されたレーザ光によって情報信号が書き込まれ、記録動作が行なわれる。
【００５５】
そしてこの情報信号の記録又は再生動作において特に本例のディスクドライブ装置２０では、弾性押圧部材としての板バネ４４によって光学ピックアップ装置２５のスライド部材３８が常にサブガイド軸３６に押し付けられていることにより、光学ピックアップ装置２５は振動や衝撃が加わってもサブガイド軸３６に対しガタつくことなく安定して移動動作され、光学ディスクに対するレーザ光の照射が安定して保たれるので、情報信号の記録又は再生の性能が低下することはない。
【００５６】
図１１〜図１６は、本発明によるディスクドライブ装置の第２の実施例を示すものである。
即ち、図１１はディスクドライブ装置の第２の実施例の平面図、図１２は底面図、図１３は要部を切り欠いて示す背面図、図１４は図１１のＹ−Ｙ線断面図、図１５は図１３の要部の拡大図、図１６は図１４の要部の拡大図である。
この第２の実施例において、上述した図１〜図１０の第１の実施例と対応する部分には同一符号を付し、その説明は省略する。
【００５７】
この第２の実施例のディスクドライブ装置２０は、上述した第１の実施例と基本構成は同じであるも、光学ピックアップ装置２５のスライド部材３８がベースユニットシャーシ２１のサブガイド軸３６に支持されている部分において、光学ピックアップ装置２５のガタつきを防止するために設けられる弾性押圧部材としての板バネ４４の配置を、第１の実施例とは反対にしたものである。
【００５８】
即ちこの第２の実施例において板バネ４４は、図１５及び図１６に示すように、光学ピックアップ装置のスライド部材３８に固定される基部４４ａの上側から一体に押圧片部４４ｂが屈曲状に延びてその先端部４４ｂ1 がサブガイド軸３６の上側に圧接するように摺接されており、この押圧片部４４ｂの弾性押圧力によってスライド部材３８は、軸受部４３の凹溝４３ａの下面側がサブガイド軸３６に押し付けられる状態となってガタつきが防止されるようになっている。
尚、この板バネ４４を取り付けネジ４５による締め付けでスライド部材３８に固定する構造、及びこの板バネ４４の押圧片部４４ｂの先端部４４ｂ1 が円弧状に屈曲形成されてサブガイド軸３６に接触する構造は、上述した第１の実施例と同様である。
【００５９】
この第２の実施例のディスクドライブ装置においては、構造的に光学ピックアップ２５のガタつきを一段と確実に防止することができる。
その理由を以下に説明する。即ち、今回実施例で示したディスクドライブ装置２０では、図１４で明らかなように、ガイド軸３４を挟んでサブガイド軸３６と反対側に送りネジ軸２６が配置され、この送りネジ軸２６に光学ピックアップ装置２５のスライド部材３８側からナット部材５１が弾性片５３ａの弾性によって押し当てられるように噛み合わされている。
【００６０】
この構成においては、送りネジ軸２６へのナット部材５１の噛み合わせ位置がガイド軸３４よりも下方に設定されているため、横方向即ちトラッキング方向に振動や衝撃が加わったときには、ナット部材５１の送りネジ軸２６からの押し戻しによってスライド部材３８はガイド軸３４を支点として回転して軸受部４３の凹溝４３ａの下面側がサブガイド軸３６に押し当てられる状態となる。このとき本例のディスクドライブ装置では、このスライド部材３８がサブガイド軸３６に押し当てられる部分（軸受部４３の凹溝４３ａの下面側）と対向する側、つまり上側からサブガイド軸３６に圧接するように板バネ４４が配置されていることにより、板バネ４４は押し戻される状態となることなく常に安定してスライド部材３８をサブガイド軸３６に押し付けるように作用するので、光学ピックアップ装置２５のガタつきが一段と確実に防止されることになる。
【００６１】
さらに以上の第１及び第２の実施例で示したディスクドライブ装置２０は、上述したような効果に加えて次のような効果をも有している。
即ちこのディスクドライブ装置２０では、光学ピックアップ装置２５のガタつきを防止するための弾性押圧部材として板バネ４４が用いられており、この板バネは安価な部品であるため、低コストで実施が可能である。
【００６２】
またこのディスクドライブ装置２０では、弾性押圧部材である板バネ４４のサブガイド軸３６に対する接触部即ち押圧片部４４ｂの先端部４４ｂ1 が円弧状に屈曲形成されているので、光学ピックアップ装置２５の移動動作時に板バネ４４はサブガイド軸３６に対しスムーズに摺動され、より安定した光学ピックアップ装置２５の移動動作が行なわれる。
【００６３】
さらにこのディスクドライブ装置２０においては、弾性押圧部材である板バネ４４を取り付けネジ４５による締め付けでスライド部材３８に固定するようにしているので、板バネ４４の取り付けを簡単に行なうことができ、低コストでの実施に一段と有利なものとなる。
【００６４】
ところで、以上の第１及び第２の実施例に示したディスクドライブ装置２０においては、光学ピックアップ装置２５のガタつきを防止するために板バネ４４の力によってスライド部材３８が常にサブガイド軸３６に押し付けられており、この部分に負荷が加わった状態で光学ピックアップ装置２５の移動動作が行なわれるので、これが長期にわたって繰り返されるとスライド部材３８側に摩耗が生じる問題がある。
【００６５】
即ち、この構成においてスライド部材３８はマグネシウム合金を材料とするダイカスト製品によりなり、これに対しサブガイド軸３６が形成されるベースユニットシャーシ２１の材料にはＰＰＥ（ポリフェニレンエーテル）によりなるエンジニアリングプラスチックが用いられ、これには強度向上のためガラス繊維を含有させてある。この場合、スライド部材３８の材料がサブガイド軸３６より柔らかいので、光学ピックアップ装置２５の移動動作が繰り返されると、スライド部材３８とサブガイド軸３６との間の摩擦によってスライド部材３８側に摩耗が生じることになる。
【００６６】
このようにスライド部材３８が摩耗すると、光学ディスクに対し光学ピックアップ装置２５が傾いていってしまうので、光学ディスクに対するレーザー光の照射角度（スキュー）が狂い、情報信号の記録又は再生の性能が低下するおそれがある。
【００６７】
そこでこの問題を解消するための構成を第３の実施例として図１７〜図２２に示す。
即ち、図１７はディスクドライブ装置の第３の実施例の底面図、図１８は要部を切り欠いて示す背面図、図１９は要部の縦断面図、図２０は図１８の要部の拡大図、図２１は図１９の要部の拡大図、図２２はこの第３の実施例で用いられる板バネの斜視図である。
この第３の実施例において、上述した図１〜図１０の第１の実施例及び図１１〜図１６の第２の実施例と対応する部分には同一符号を付し、その説明は省略する。
【００６８】
この第３の実施例のディスクドライブ装置２０は、上述した第２の実施例と基本構成は同じであるも、光学ピックアップ装置２５のガタつきを防止するためにスライド部材３８が板バネ４４の力によってサブガイド軸３６に押し付けられている部分において、スライド部材３８の摩耗を抑えるための手段を備えたことを特徴とするものである。
【００６９】
この摩耗を抑える手段として特に本例では、板バネ４４の一部を利用した構成が採られている。即ち本例で用いられる板バネ４４は図２２に示す如く基部４４ａの下方から押圧片部４４ｂと対向するように一体に延びる延長部４４ｃを有し、この延長部４４ｃがスライド部材に巻き付けられるように折り曲げられてその先端部４４ｃ1 が図２０及び図２１に示すようにスライド部材３８とサブガイド軸３６との間に介在される構造となっている。
【００７０】
このように構成される本例のディスクドライブ装置２０では、スライド部材３８はそれ自体がサブガイド軸３６に接触することなく、板バネ４４を介してサブガイド軸３６に押し付けられる状態となるので、光学ピックアップ装置２５の移動動作が長期にわたって繰り返されてもスライド部材３８には摩耗が生じることはない。
【００７１】
ここで板バネ４４の材料としてはステンレスが好適に用いられ、このステンレスはサブガイド軸３６側のプラスチックに含まれるガラス繊維に対する滑性が良好であり、またそれ自体が充分な硬さを有するものであるため、板バネ４４に摩耗が生じることは殆どない。
【００７２】
従って本例のディスクドライブ装置では、これを長期にわたって使用しても光学ピックアップ装置２５に傾きが生じることはなく、光学ディスクに対するレーザー光の照射角度が狂うことはないので、一段と安定した情報信号の記録又は再生が行なわれ、より信頼性の高いディスクドライブ装置を実現できるものである。
【００７３】
そして特に本例の場合、スライド部材３８の摩耗を抑える手段として板バネ４４の一部を利用した構成であるため、部品点数は第１及び第２の実施例と変わりがなく、従ってコストを殆どかけることなくスライド部材３８の摩耗を確実に防止できるという特徴がある。
【００７４】
上述したような構成及び作用、効果を有するディスクドライブ装置２０は、例えば、図２３〜図２７に示すような電子機器に装着して使用することができる。図２３及び図２４と図２５は、電子機器の一具体例を示すデジタルビデオディスクカメラである。このデジタルビデオディスクカメラ８０は、情報記録媒体として記録可能な光学ディスクを使用し、デジタルスチルカメラの機能とビデオテープレコーダの機能とを合わせ持つ構成としたものである。
【００７５】
このデジタルビデオディスクカメラ８０は、図２５に示すような構成を有している。図２５において、８１はフォーカスリング、８２はレンズカバー、８３はレンズ組立体、８４は鏡筒カバー、８５は取付リング、８６は前カメラフレーム、８７は電子ビューファインダ、８８はファインダホルダ、８９はファインダリング、９０はファインダケース、９１はバッテリーホルダ、９２はバッテリー電源、９３ａ〜９３ｃはそれぞれ配線基板、９４はベースフレーム、９５は後カメラフレーム、９６は液晶表示装置、９７はディスク装着蓋である。
【００７６】
レンズ組立体８３は、複数枚の組み合わせレンズが収納されたレンズホルダ８３ａと、このレンズホルダ８３ａの対物レンズと反対側に配置された固体撮像素子（ＣＣＤ）８３ｂ等を有している。このレンズ組立体８３の対物レンズ側がレンズカバー８２によって覆われていて、その対物レンズの先端部にフォーカスリング８１が取り付けられている。レンズ組立体８３の固体撮像素子８３ｂ側の下部には鏡筒カバー８４が取り付けられている。この鏡筒カバー８４は、取付リング８５によって前カメラフレーム８６の筒体部８６ａに取り付けられている。そして、固体撮像素子８３ｂの上方には電子ビューファインダ８７が配設されている。
【００７７】
電子ビューファインダ８７は、ファインダホルダ８８に取り付けられており、その後方にはファインダリング８９が配置されている。このファインダリング８９を含む電子ビューファインダ８７の上下は、上下方向に二分割とされた上部カバー８９ａ及び下部カバー８９ｂによって覆われている。そして、電子ビューファインダ８７を含むファインダ全体は、ファインダケース９０により覆われている。これにより、余分な光が電子ビューファインダ８７内に入射されるのを防止している。
【００７８】
また、固体撮像素子８３ｂの後方には３枚の配線基板９３ａ〜９３ｃが前後方向へ重ね合わせるように配置されている。前側２枚の配線基板９３ａ，９３ｂはカメラ用の電子回路が設けられたものであり、後側１枚の配線基板９３ｃはドライブ用の電子回路が設けられたものである。この後配線基板９３ｃの後方に、ベースフレーム９４に取り付けられてディスクドライブ装置２０が配設されている。
【００７９】
このベースフレーム９４に対するディスクドライブ装置２０の取付手段は、図２６及び図２７に示すような構造によって行われている。即ち、ベースフレーム９４は、ディスクドライブ装置２０よりも平面形状が大きな板金製の板体からなる。このベースフレーム９４の周縁部には、カメラフレームに取り付けるための複数個の脚片９４ａが設けられている。更に、ベースフレーム９４の３箇所には、ディスクドライブ装置２０を支持するための支持片９４ｂが設けられている。３個の支持片９４ｂは、ディスクドライブ装置２０を三方から支持するように略均等に配置されていて、各支持片９４ｂにはゴム状弾性体によって形成されたインシュレータ９４ｃが取り付けられている。
【００８０】
このような支持片９４ｂを介してディスクドライブ装置２０を支持するため、ベースユニットシャーシ２１の３箇所には側方へ突出する支持アーム２１ｆが設けられている。各支持アーム２１ｆにはインシュレータ９４ｃがそれぞれ装着され、その装着状態において支持片９４ｂに係合することにより、ディスクドライブ装置２０がベースフレーム９４に弾性的に支持されている。
【００８１】
このベースフレーム９４に支持されたディスクドライブ装置２０は、後カメラフレーム９５の内側に取り付けられている。後カメラフレーム９５は前カメラフレーム８６と前後方向に重なり合う形状とされており、両カメラフレーム８６，９５を重ね合わせて組み立てることによってカメラ本体が構成されている。カメラ本体は、レンズ組立体８３等が収納される上述した筒体部８６ａと、この筒体部８６ａの一側に連続して形成された把持部８６ｂとを備えている。
【００８２】
図２４に示すように、把持部８６ｂの上部には、電源スイッチ９８ａとシャッタボタン９８ｂとが設けられている。また、筒体部８６ａの把持部８６ｂと反対側の側面には、フォーカススイッチ等が取り付けられたスイッチカバー９８ｃが取り付けられている。後カメラフレーム９５の背面には大きな開口部９５ａが設けられており、この開口部９５ａからディスクドライブ装置２０のターンテーブル２４側の面が大きく露出される。この開口部９５ａは、ヒンジによって後カメラフレーム９５に連結されたディスク装着蓋９７により開閉可能とされている。このディスク装着蓋９７には表示窓９７ａが設けられており、その表示窓９７ａには液晶表示装置９６が装着されている。このディスク装着蓋９７のロック及びロック解除は、後カメラフレーム９５の側面に設けられた開閉スイッチ９５ｂによって行うことができる。
【００８３】
また、カメラ本体の把持部８６ｂの内部には、バッテリーホルダ９１が収納されている。このバッテリーホルダ９１の前面にはバッテリーカバーが着脱可能に取り付けられており、バッテリーホルダ９１に対してバッテリー電源９２が着脱自在とされている。バッテリーホルダ９１には端子ホルダ９１ａが着脱自在に取り付けられており、端子ホルダ９１ａの着脱を経てバッテリー電源９２がバッテリーホルダ９１に着脱される。
【００８４】
このような構成を有するデジタルビデオディスクカメラ８０は、例えば、次のようにして使用することができる。この場合、情報記録媒体である光学ディスクの取り付け・取り外し操作は、必要によりディスク装着蓋９７を開けて手動操作によって行う。即ち、ディスク装着蓋９７を開いて後カメラフレーム９５の開口部９５ａを開口させ、これにより露出されたディスクドライブ装置２０のターンテーブル２４に光学ディスクを取り付け、又は予め装着されている光学ディスクを取り外す。
【００８５】
このとき、ディスクドライブ装置２０に光学ディスクを取り付けた後、ディスク装着蓋９７を閉じることにより撮影が可能となり、この撮影による映像情報や音声情報の記録を実行することができる。即ち、電源スイッチ９８ａを入れた後、シャッタボタン９８ｂを押すことにより、その撮影モードに応じて、一般のビデオカメラと同様に連続した映像を移したり、普通のカメラと同様に１枚毎の撮影を行うことができる。
【００８６】
尚、この実施例においては、ディスクドライブ装置２０をデジタルビデオディスクカメラ８０に適用した例について説明したが、次のような電子装置にも使用することができる。例えば、ＣＤプレーヤー、ＤＶＤプレーヤー、ＣＤ−ＲＯＭドライブ装置、ＤＶＤドライブ装置、ＣＤ−Ｒドライブ装置、ＣＤ−ＲＷドライブ装置、その他各種のディスクドライブ装置として適用することができるものである。即ち、記録再生兼用のディスク記録再生装置に適用できることは勿論のこと、記録又は再生の一方のみが可能なディスク記録装置又はディスク再生装置に適用することができるものである。
【００８７】
また、上記実施例においては、情報記録媒体として光ディスクを用いた例について説明したが、光磁気ディスク、フロッピーディスク等の磁気ディスク、その他各種のディスク状記録媒体に適用することができることは勿論である。このように、本発明は、その趣旨を逸脱しない範囲で種々変更できるものである。
【００８８】
【発明の効果】
以上に説明したように、本出願の請求項１に記載のディスクドライブ装置によれば、弾性押圧部材によってスライド部材をサブガイド軸に押し付ける構造としたため、ピックアップは振動や衝撃が加わってもガタつくことなく安定して移動動作されるので、情報信号の記録又は再生の性能が低下することはなく、振動や衝撃に強いディスクドライブ装置を提供することができるという効果が得られる。
【００８９】
また本出願の請求項２に記載のディスクドライブ装置によれば、振動や衝撃が加わったときにナット部材の送りネジ軸からの押し戻しによってスライド部材がガイド軸を支点として回転してサブガイド軸に押し当てられる状態となっても、このスライド部材がサブガイド軸に押し当てられる部分と対向する側からサブガイド軸に圧接するように弾性押圧部材が配置されていることにより、弾性押圧部材は押し戻される状態となることなく常に安定してスライド部材をサブガイド軸に押し付けるように作用するので、ピックアップのガタつきを一段と確実に防止できるという効果が得られる。
【００９０】
さらに本出願の請求項３に記載のディスクドライブ装置によれば、弾性押圧部材として板バネを用いることで、低コストで実施できるという効果を得ることができる。
【００９１】
さらに本出願の請求項４に記載のディスクドライブ装置によれば、弾性押圧部材である板バネのサブガイド軸に対する接触部を円弧状に屈曲形成したため、ピックアップの移動動作時に板バネはサブガイド軸に対しスムーズに摺動されるので、より安定したピックアップの移動動作が行なわれるという効果を得ることができる。
【００９２】
さらに本出願の請求項５に記載のディスクドライブ装置によれば、弾性押圧部材である板バネをネジによる締め付けでスライド部材に固定するようにしたため、板バネの取り付けを簡単に行なうことができるので、低コストでの実施に一段と有利となるという効果が得られる。
【００９３】
さらに本出願の請求項６に記載のディスクドライブ装置によれば、スライド部材がサブガイド軸に押し付けられる部分において、板バネの一部をスライド部材とサブガイド軸との間に介在させた構造としたため、スライド部材の摩耗を効果的に抑えることができるので、ピックアップに傾きが生じることはなく、一段と安定した記録又は再生が可能となり、より信頼性の高いディスクドライブ装置を実現できる効果がある。
【図面の簡単な説明】
【図１】本発明のディスクドライブ装置の第１の実施例を示す斜視図である。
【図２】図１に示すディスクドライブ装置の平面図である。
【図３】図１に示すディスクドライブ装置の底面図である。
【図４】図３に示すディスクドライブ装置の底面図からベースユニットサブシャーシを取り除いた要部を示す説明図である。
【図５】図２に示すディスクドライブ装置のＸ−Ｘ線断面図である。
【図６】図１に示すディスクドライブ装置の要部を切り欠いて示す背面図である。
【図７】図１に示すディスクドライブ装置の左側面図である。
【図８】図２に示すディスクドライブ装置のＹ−Ｙ線断面図である。
【図９】図６に示すディスクドライブ装置の要部の拡大図である。
【図１０】図８に示すディスクドライブ装置の要部の拡大図である。
【図１１】本発明のディスクドライブ装置の第２の実施例を示す平面図である。
【図１２】図１１に示すディスクドライブ装置の底面図である。
【図１３】図１１に示すディスクドライブ装置の要部を切り欠いて示す背面図である。
【図１４】図１１に示すディスクドライブ装置のＹ−Ｙ線断面図である。
【図１５】図１３に示すディスクドライブ装置の要部の拡大図である。
【図１６】図１４に示すディスクドライブ装置の要部の拡大図である。
【図１７】本発明のディスクドライブ装置の第３の実施例を示す底面図である。
【図１８】図１７に示すディスクドライブ装置の要部を切り欠いて示す背面図である。
【図１９】図１７に示すディスクドライブ装置の要部の縦断面図である。
【図２０】図１８に示すディスクドライブ装置の要部の拡大図である。
【図２１】図１９に示すディスクドライブ装置の要部の拡大図である。
【図２２】第３の実施例で用いられる板バネを示す斜視図である。
【図２３】本発明のディスクドライブ装置が用いられたデジタルビデオディスクカメラの実施例を示す側面図である。
【図２４】本発明のディスクドライブ装置が用いられたデジタルビデオディスクカメラの実施例を示す平面図である。
【図２５】本発明のディスクドライブ装置が用いられたデジタルビデオディスクカメラの実施例を示す分解斜視図である。
【図２６】本発明のディスクドライブ装置をベースフレームに取り付けた状態を示す平面図である。
【図２７】本発明のディスクドライブ装置をベースフレームに取り付けた状態を示す正面図である。
【図２８】従来のディスクドライブ装置を示す平面図である。
【図２９】図２８に示す従来のディスクドライブ装置の底面図である。
【図３０】図２８に示す従来のディスクドライブ装置の要部を切り欠いて示す背面図である。
【図３１】図２８に示す従来のディスクドライブ装置のＹ−Ｙ線断面図である。
【図３２】図３０に示す従来のディスクドライブ装置の要部の拡大図である。
【図３３】図３１に示す従来のディスクドライブ装置の要部の拡大図である。
【符号の説明】
２０‥‥ディスクドライブ装置、２１‥‥ベースユニットシャーシ、２５‥‥光学ピックアップ装置、２６‥‥送りネジ軸、２７‥‥送りモータ、３３‥‥光学ディスク（ディスク状記録媒体）、３４‥‥ガイド軸、３６‥‥サブガイド軸、３８‥‥スライド部材、３９‥‥光学ピックアップ、４２‥‥軸受部、４３‥‥軸受部、４３ａ‥‥凹溝、４４‥‥板バネ（弾性押圧部材）、４４ｂ‥‥押圧片部、４４ｂ1 ‥‥先端部、４４ｃ‥‥延長部、４４ｃ1 ‥‥先端部、４５‥‥取り付けネジ、５１‥‥ナット部材、
【図１】
0004240840.tif 000002
【図２】
0004240840.tif 000003
【図３】
0004240840.tif 000004
【図４】
0004240840.tif 000005
【図５】
0004240840.tif 000006
【図６】
0004240840.tif 000007
【図７】
0004240840.tif 000008
【図８】
0004240840.tif 000009
【図９】
0004240840.tif 000010
【図１０】
0004240840.tif 000011
【図１１】
0004240840.tif 000012
【図１２】
0004240840.tif 000013
【図１３】
0004240840.tif 000014
【図１４】
0004240840.tif 000015
【図１５】
0004240840.tif 000016
【図１６】
0004240840.tif 000017
【図１７】
0004240840.tif 000018
【図１８】
0004240840.tif 000019
【図１９】
0004240840.tif 000020
【図２０】
0004240840.tif 000021
【図２１】
0004240840.tif 000022
【図２２】
0004240840.tif 000023
【図２３】
0004240840.tif 000024
【図２４】
0004240840.tif 000025
【図２５】
0004240840.tif 000026
【図２６】
0004240840.tif 000027
【図２７】
0004240840.tif 000028
【図２８】
0004240840.tif 000029
【図２９】
0004240840.tif 000030
【図３０】
0004240840.tif 000031
【図３１】
0004240840.tif 000032
【図３２】
0004240840.tif 000033
【図３３】
0004240840.tif 000034